(57)【要約】【課題】  長さや高さや幅に関係なくいかような条件でもレザー光を用いることによって計測できる測定器を提供するものである。【解決手段】  測定器の両側に同一または異種の波長を有するレザー光線が照射できるレザー器、該レザー器の両者のレザー光線の波長が水平であることを検知したとき測定器の中心部分で両者の波長が一致した点、又はその共振点を識別できる制御部、該制御部の指令を目視できる窓、のそれぞれを備えたものである。【選択図】        図１
2005062142.tif 000002
【特許請求の範囲】
【請求項１】
土地や建物や道路などで水平状態を計測する測定器において、該測定器の両側に同一または異種の波長を有するレザー光線が照射できるレザー器、該レザー器の両者のレザー光線の波長が水平であることを検知したとき測定器の中心部分で両者の波長が一致した点、又はその共振点を識別できる制御部、該制御部の指令を目視できる窓、のそれぞれを備え、前記制御部の構成としてアルコール水銀の浮遊による手段、浮遊する金属の磁化手段、前記窓を設けない両者波長検出角度表示手段としたことを特徴とするレザー光を用いた測定器。
【請求項２】
土地や建物や道路などで垂直状態を計測する測定器において、該測定器の一方にレザー光線を照射できるレザー器、他方に傾斜状態を解析する制御部、該制御部の指令を内部に刻設されているスケールから垂直の度合いを目視できる窓、のそれぞれを備え、前記制御部の構成としてアルコール水銀の浮遊による手段、又は浮遊する金属の磁化手段、又は前記窓を設けない場合として基準とする直下に照射されるレザー光の反射光量と回転又は移動することによって変化するレザー反射光量との差違を検知して傾斜の程度を算出する検出角度表示手段とし、基準とする直下のレザー光線方向を回転又は移動させることによって、前記窓から前記浮遊物の移動又は表示手段から垂直の程度が確認できるよう構成したことを特徴とするレザー光を用いた測定器。
【発明の詳細な説明】
【発明の詳細な説明】
【技術分野】
【０００１】  本発明は、土地や建物などで水準や垂直を計測するレザー測定器に関するものである。
【背景技術】
【０００２】  従来、例えば家の床が傾斜しているか否かを調べる場合、水準器が使用されている。この水準器は、長方形で且つ中心部分に窓が設けられており、この内部にスケールが刻設され、この部分に水銀球が浮遊している。
図３（ａ）はその一例を示す水平計測の説明図であり、１１は水準器、２は窓、３は水銀球、４はスケールであり、例えば傾斜した床面（図示せず）を修理するような場合は、この水準器１１を床面にセットし、水銀球３がスケール４の中心にくるように、床面の角度を調整する。【０００３】  また、穴を掘ってセメントを流し込んで箱形の穴を形成するような場合や、家の柱の傾斜を修理するような場合などに垂直の測定器が使用されている。
図３（ｂ）はその一例を示す垂直計測の説明図であり、１２は床面、１３は柱、１４は糸、１５は三角錐の錘であり、傾斜した柱１３を修理するような場合、柱１３の部分に糸１４に取り付けた錘１５を柱１３にセットし、床面１２において柱１３の麓と錘１５の先端間の距離を測定し、糸１４の長さから傾斜角度を算出する。そして、この傾斜角度が生じないように調整する。
【発明が解決しようとする課題】
【０００４】  しかしながら、このような手段では次のような課題がある。
１．狭い床面の面積の修理には対応できるが、広い床面や道路や長い橋などには何回にも水準器を移動して測定しなければならない。このために誤差が生じやすい。
２．垂直であるか否かを測定する場合、図３（ｂ）に示された低い柱のような場合には良いが、深い穴や橋げたのような高い部分を測定するような場合には不適当である。
本発明は上述した点に鑑みて創案されたもので、その目的とするところは、これらの欠点を解消し、長さや高さや幅に関係なくいかような条件でもレザー光を用いることによって計測できる測定器を提供するものである。
【課題を解決するための手段】
【０００５】つまり、その目的を達成するための手段は、
１．請求項１において、
土地や建物や道路などで水平状態を計測する測定器に係わり、該測定器の両側に同一または異種の波長を有するレザー光線が照射できるレザー器、該レザー器の両者のレザー光線の波長が水平であることを検知したとき測定器の中心部分で両者の波長が一致した点、又はその共振点を識別できる制御部、該制御部の指令を目視できる窓、のそれぞれを備え、前記制御部の構成としてアルコール水銀の浮遊による手段、浮遊する金属の磁化手段、前記窓を設けない両者波長検出角度表示手段としたことを特徴とするレザー光を用いた測定器である。
【０００６】２．請求項２において、
土地や建物や道路などで垂直状態を計測する測定器において、該測定器の一方にレザー光線を照射できるレザー器、他方に傾斜状態を解析する制御部、該制御部の指令を内部に刻設されているスケールから垂直の度合いを目視できる窓、のそれぞれを備え、前記制御部の構成としてアルコール水銀の浮遊による手段、又は浮遊する金属の磁化手段、又は前記窓を設けない場合として基準とする直下に照射されるレザー光の反射光量と回転又は移動することによって変化するレザー反射光量との差違を検知して傾斜の程度を算出する検出角度表示手段とし、基準とする直下のレザー光線方向を回転又は移動させることによって、前記窓から前記浮遊物の移動又は表示手段から垂直の程度が確認できるよう構成したことを特徴とするレザー光を用いた測定器である。
なお、前記水平又は垂直の割合を窓から目視する制御手段については、前記に限らずいかような手段であってもよい。
以下、本発明の一実施例を図面に基づいて詳述する。
【発明を実施するための最良の形態】
【０００７】  図１は本発明の請求項１記載の一実施例を示す説明図であり、１は水平レザー測定器、２は窓、３は水銀球、４は三脚台、Ｘ，Ｘ‘はレザー光線である。
図１において、水平レザー測定器１の両側に同一または異種の波長を有するレザー光線Ｘ，Ｘ‘が照射できるレザー器（図示せず）、このレザー器の両者のレザー光線の波長が水平であることを検知したとき測定器の中心部分で両者の波長が一致した点、又はその共振点を識別できる制御部（図示せず）、この制御部の指令を目視できる窓２、のそれぞれを備えている。
そして、制御部の構成としてアルコール水銀の浮遊による手段、浮遊する金属の磁化手段、前記窓を設けない両者波長検出角度表示手段がある。また、浮遊する手段にはスケールが刻設されており、球３がどの位置にあるかを目視できるようになっている。【０００８】  かような構成において、水平状態を検知したり、傾斜角度を検知する場合は、水平レザー測定器１の両端から同一または異種の波長のレザー光線Ｘ，Ｘ‘が先方に設けられている対象物に照射される。そして、その反射光が水平レザー測定器１に入射され、前記制御部に入力される。ここで、例えば同一波長の入力の場合は浮遊物に与えるパワーが２倍となり、その球３がスケールの中心に移動するようになっている。もちろん同一波長の場合また異種の波長の場合も共振点により球３がスケールの中心に移動するよう構成することもある。【０００９】  図２は本発明の請求項２記載の一実施例を示す説明図であり、２は窓、３は浮遊物としての例えば水銀球、４は三脚台、５は垂直レザー測定器、６は水平面、Ｙは基準としての水平面６に対して直下に照射されるレザー光線、Ｙ‘は例えば傾斜した柱（図示せず）に沿ってレザー光線Ｙを回転又は移動させたレザー光線である。【００１０】  図２において、垂直レザー測定器５の一方にレザー光線を照射できるレザー器（図示せず）、他方に傾斜状態を解析する制御部（図示せず）、この制御部の指令を内部に刻設されているスケールから垂直の度合いを目視できる窓２、のそれぞれを備えている。
前記制御部の構成として、アルコール水銀の浮遊による手段、又は浮遊する金属の磁化手段、又は前記窓を設けない場合として基準とする直下に照射されるレザー光の反射光量と回転又は移動することによって変化するレザー反射光量との差違を検知して傾斜の程度を算出する検出角度表示手段とし、基準とする直下のレザー光線方向を回転又は移動させることによって、前記窓２から前記浮遊物３の移動又は表示手段から垂直の程度が確認できるよう構成したものである。
次にその作用について図２を参照しながら詳細に説明する。【００１１】  垂直レザー測定器５は、例えば図示する三脚台４に基準とするレザー光線Ｙが水平面６に対して垂直に照射できるようにセットされている。
通常の計測により垂直表示する場合、例えば垂直に掘った穴の垂直度合いを計測する場合は、穴のサイドに垂直レザー測定器５をセットする。次に、予め測定されている穴の底の水平面に基準とするレザー光線Ｙが直下に照射される。そして、このレザー光線Ｙによって壁が垂直でない場合は、穴の壁を切り崩していき、直下に照射されたレザー光線Ｙが穴の底面に到達した時点で作業は完了したことになる。【００１２】  次に、傾斜した柱（図示せず）の場合を例にとり説明する。
柱が図示されている角度α分傾いているとする。基準とするレザー光線Ｙは前記した説明と同様である。そして、柱は角度αで傾斜しているので、この基準とするレザー光線Ｙを角度α分垂直レザー測定器に有する回転又は移動機構によりレザー光線Ｙ‘まで移動した照射を行う。
この両者の反射レザー光量は当然異なり、前記制御部にてこれらの解析が行われ、その差分がスケール上に浮遊されている水銀球の移動となり、またその差分が読み取られる。そして、角度αの修理が完了すれば、前記した通常の計測状態となる。
以上は水銀球の位置による目視について説明したが、この差分を数値表示や指針表示することも出来る。
【発明の効果】
【００１３】  以上述べたように本発明によれば、狭い床面の修理など狭い面積には対応できるが、広い床面や道路や長い橋などには何回にも水準器を移動して測定しなければならないために誤差が生じたり、また、垂直であるか否かを測定する場合、低い柱のような場合には良いが、深い穴や橋げたのような高い部分を測定するような場合には不適当であったりしたことが解消され、狭い広いの床面や面積に囚われず、また高低さに囚われないレザー測定器を得ることができ、実用上、極めて有用性の高いものである。
【図面の簡単な説明】
【図１】本発明の請求項１記載の一実施例を示す説明図である。
【図２】本発明の請求項２記載の一実施例を示す説明図である。
【図３】従来の水平垂直計測の一例を示す説明図である。
【符号の説明】
１        水平レザー測定器
２        窓
３        浮遊物（水銀球）
４        三脚台
５        垂直レザー測定器
６        水平面
Ｘ，Ｘ‘  レザー光線
Ｙ        基準のレザー光線
Ｙ‘      回転又は移動したときのレザー光線
α        角度
【図１】
2005062142.tif 000003
【図２】
2005062142.tif 000004
【図３】
2005062142.tif 000005